(57)【要約】      （修正有）【課題】拭く面積を調整できるモップの雑巾固定装置を提供する。【解決手段】モップの雑巾固定装置は、主板１と、握り棒１７と、２つの雑巾置き箱２と、２つの副板３とを備える。主板１の表面には、主板表面粘着面１５が形成される。両側にそれぞれ溝１１を有する底面には、主板底面粘着面１６が形成される。主板１は、溝１１の両末端の開き口に設けられ、下端部に欠け口１３が形成される封鎖片１４を有する。握り棒１７は、主板１の中央部にピボット式に連結される。２つの雑巾置き箱は、底面に置き箱底面粘着面２１が形成され、主板１の両側部の主板表面粘着面１６に引っ付けられて安定する。副板３の底面には、主板１の底面と同じ平面になる副板底面粘着面３１が形成される。副板３は、主板１の溝１１と相対する２つのはめ足を有し、少なくとも１枚の雑巾が貼り付けられる。これにより、床板を拭く雑巾の面積を調整できる。【選択図】図１
0003173533.tif 000002
【実用新案登録請求の範囲】
【請求項１】
表面に主板表面粘着面が形成され、両側にそれぞれ溝を有する底面に主板底面粘着面が形成され、前記溝の両末端の開き口に設けられ下端部に欠け口が形成される封鎖片を有する主板と、
前記主板の中央部にピボット式に連結される握り棒と、
底面に置き箱底面粘着面が形成され、前記主板の両側部の前記主板表面粘着面に引っ付けられて安定する２つの雑巾置き箱と、
前記主板の底面と同じ平面になる底面に副板底面粘着面が形成され、前記主板の前記溝と相対する２つのはめ足を有し、少なくとも１枚の雑巾が貼り付けられる２つの副板と、
を備えるモップの雑巾固定装置。
【請求項２】
前記副板の前記はめ足の内末端には、止め板が付設され、
前記止め板は、常に前記主板の前記溝の中に位置し、
前記主板の前記封鎖片の内側の前記溝の上方壁には、止め突起が形成され、
前記止め突起は、前記止め板を止めて、前記はめ足が前記主板の前記溝から引き出すときに前記はめ足が前記溝から脱落しないように構成されていることを特徴とする請求項１記載のモップの雑巾固定装置。
【請求項３】
前記副板の前記２つのはめ足の内末端面には、孔が形成され、
止め板には、前記孔と相対する位置に突起が形成され、
前記突起は、前記孔とはまり合って、前記止め板が前記はめ足とかたく連結されることを特徴とする請求項１記載のモップの雑巾固定装置。
【請求項４】
表面に主板表面粘着面が形成され、両側にそれぞれ孔を有する底面に主板底面粘着面が形成され、前記孔の外末端の開き口に設けられ下端部に欠け口が形成される封鎖片が付設される主板と、
前記主板の中央部にピボット式に連結される握り棒と、
前記主板の底面と同一平面となる底面に副板底面粘着面が形成され、前記主板の前記溝と相対する２つのはめ足を有し、少なくとも一枚の雑巾がはり付けられ、表面の外末端両側にそれぞれピボット孔が形成されるピボット台を有する２つの副板と、
表面に翼板表面粘着面が形成され、底面に翼板底面粘着面が形成され、内末端に前記副板の前記ピボット台の前記ピボット孔と相応する翼板ピボット孔を有し、形状がＺ型である２つの翼板と、
底面に置き箱底面粘着面が形成され、前記主板の表面の両側に貼り付けられ、更に２つの前記翼板の翼板底面粘着面に貼り付けられる２つの雑巾置き箱と、
を備え、
ピボットは、前記ピボット台の前記ピボット孔および前記翼板ピボット孔にはまり、
前記２つの翼板は、前記ピボットの作用により１８０度回転可能であり、外側に展開される、或いは、内側に折りたたまれて、前記２つの翼板、前記２つの副板、および、前記主板の底面が同一平面になり、雑巾が底面にはり付けられることを特徴とするモップの雑巾固定装置。
【請求項５】
前記副板の前記２つのはめ足の内末端には、止め板が付設され、
前記止め板は、前記主板の前記溝の中に位置し、
前記主板の前記封鎖片の内側の前記溝の上方壁には、止め突起が形成され、
前記止め突起は、前記副板の前記はめ足が前記主板の前記溝から外に移動するときに前記止め板を受け止めて、前記はめ足が前記溝から脱落しないように構成されていることを特徴とする請求項４記載のモップの雑巾固定装置。
【請求項６】
前記副板の前記２つのはめ足の内末端面には、孔が形成され、
止め板には、前記孔に相対する突起が形成され、
前記突起は、前記孔とかたくはまって、前記止め板が前記２つのはめ足に連結されることを特徴とする請求項４記載のモップの雑巾固定装置。
【請求項７】
前記翼板は、前記副板に対して前記ピボットの作用で１８０度回転可能であり、
前記翼板は、前記翼板表面粘着面が前記主板の前記主板表面粘着面とひっつき合い、前記主板の上に安定し、
前記翼板の前記翼板底面粘着面は、前記雑巾置き箱の前記置き箱底面粘着面とひっつき合うことを特徴とする請求項４記載のモップの雑巾固定装置。
【請求項８】
前記２つの翼板の前記翼板底面粘着面、前記２つの副板の前記副板底面粘着面、および、前記主板の前記主板底面粘着面には、複数の特別板がはり付けられ、
前記特別板は、表面に特別板表面粘着面が形成され、底面に特別板底面粘着面が形成され、
前記特別板の前記特別板表面粘着面は、前記２つの翼板の前記翼板底面粘着面、前記２つの副板の前記副板底面粘着面、および、前記主板の前記主板底面粘着面とひっつき合い、前記特別板の前記特別板底面粘着面に雑巾が複数貼り付けられることを特徴とする請求項４記載のモップの雑巾固定装置。
【考案の詳細な説明】
【技術分野】
【０００１】
本考案は、モップの雑巾固定装置に関するものである。
【背景技術】
【０００２】
従来のモップは、円形又は長方形のモップ台の下に複数の綿製布片を付けて、床板を掃除する。使用するとき、モップは床板の上を拭き動かして汚いものを拭くが、重量が重く、不便であり、効果もさほどよくない。そのため、現在は平べったい形のモップが使用されている。モップは、握り棒の下端に長方形の平板を有し、平板に雑巾をベルクロ（登録商標）で貼り付け床板を拭いて掃除する。雑巾が汚れたら、平板からはずして、綺麗に洗ってから、又平板に取り付けて使用する。
【先行技術文献】
【特許文献】
【０００３】
【特許文献１】特開平８−１０７８７０号公報
【考案の概要】
【考案が解決しようとする課題】
【０００４】
この平板状モップは比較的安全に使用できる。しかし、拭く面積が小さく、且つ一定していることが欠点である。
本考案は、拭く面積を調整できて便利に使用できるモップの雑巾固定装置を提供することを目的とする。
【課題を解決するための手段】
【０００５】
上述の課題を解決するための手段として、主板を設け、更に主板に２枚の副板を連結する。副板は、主板から伸び出たり、元の位置に押し入れたりするように設置する。また、主板および副板は、同じ平面になり、一板或いは複数の雑巾をその上にはり付けて、モップが一度に拭く面積が調整できて、モップの使用に柔軟性を持たせる。
更に、握り棒のかたわらに付設している主板の表面に２個の雑巾置き箱を貼り付けて、よごれた雑巾をしばらく置けるようにして、あとで洗えるようにする。
【０００６】
更に、床板を拭くモップの雑巾の面積をより大きく増加する手段として、２つの副板の外側にピボット式に、所定の大きさの翼板を連結する。折りたたんだとき、翼板がそれぞれ主板の両側面に乗っている状態から、必要に応じて、先に副板を主板の溝から引き出してから翼板を副板に対して１８０度回転させて副板の外側に展開させる。これにより、雑巾を付ける面積が主板、２枚の副板、および、２枚の翼板の幅になるので、雑巾の面積がとても大きくなる。それ故、モップの雑巾の面積を色々な大きさに調整できる。
【０００７】
本考案のモップの雑巾固定装置は、主板の両側に伸び縮み出来る二枚の副板と、更に二枚の副板にピボット式に連結した二枚の翼板の作用により、床板を拭く雑巾の面積を色々な大きさに調整できるので、掃除する床板の面積に応じて雑巾の貼り付け面積を調整できて便利である。
このように、本考案のモップの雑巾固定装置は、必要に応じ、モップが拭く面積を掃除する場所の広さに従って、拭く幅を調節できて、モップの使用が便利で仕事する時間を短縮でき、床板掃除の能率を高めることができる。
【図面の簡単な説明】
【０００８】
【図１】本考案の第１実施形態によるモップの雑巾固定装置の分解斜視図である。
【図２】本考案の第１実施形態によるモップの雑巾固定装置を折りたたんだときの側面図である。
【図３】本考案の第１実施形態によるモップの雑巾固定装置を展開したときの側面図である。
【図４】本考案の第２実施形態によるモップの雑巾固定装置の分解斜視図である。
【図５】本考案の第２実施形態によるモップの雑巾固定装置を展開したときの側面図である。
【図６】本考案の第２実施形態によるモップの雑巾固定装置を折りたたんだときの側面図である。
【図７】本考案の第３実施形態によるモップの雑巾固定装置を展開したときの側面図である。
【考案を実施するための形態】
【０００９】
以下、本考案によるモップの雑巾固定装置を図面に基づいて説明する。なお、以下、複数の実施形態において、実質的に同一の構成には同一の符号を付して説明を省略する。
（第１実施形態）
本考案のモップの雑巾固定装置の第１実施形態は、図１と図２と図３とが示すように、１つの主板１と、２つの雑巾置き箱２と、２枚の副板３と、雑巾１８とで構成される。
主板１は、表面および底面を有し、表面および底面には、それぞれ主板表面粘着面１５と、主板底面粘着面１６が形成される。また、主板１の表面の中央部には、握り棒１７がピボット式に連結する。更に、主板１の底面の両側には、各１つの溝１１を縦方向に設ける。溝１１の両端の開き口に各１つの封鎖片１２を付設する。封鎖片１２の下半分は、欠け口１３を形成する。
【００１０】
雑巾置き箱２は、底面に置き箱底面粘着面２１が形成される。底面粘着面２１は、握り棒１２の両側にある主板１の主板表面粘着面１５の上に引っ付けておく。
２枚の副板３は、底面には副板底面粘着面３１が形成される。主板１の欠け口１３と相対する位置には、２つのはめ足３２を有する。副板３の２つのはめ足３２は、主板１の溝１１の中に欠け口１３からおし入れられて、主板１の底面と副板３の底面とは同じ平面を形成する。雑巾１８は、一枚或いは複数のものが主板１および副板３の底面に貼り付けられて安定する。
【００１１】
副板３は、はめ足２が主板１の欠け口１３から溝１１の中におしいれておくか、或いは、溝１１の中から引き出して、長さを調整すれる。これにより、雑巾１８を貼り付けた面積のサイズが大きくなったり小さくなったりする。それ故、モップは、副板３を最大限に引き出して作業すれば、床板をふくのに要する時間が短縮できて作業能率が高められる。また、雑巾１８は、床板を拭いて汚れた場合、主板１および副板３から取り外し、綺麗な雑巾１８を再度貼り付けて継続して作業する。汚れた雑巾１８を雑巾置き箱２にしばらく置いておけるので、仕事を中断する必要がなく、後で汚れた雑巾１８を一緒に洗うことができて、作業に要する時間と人力を節約できる。
【００１２】
副板３のはめ足３２の内末端には、１つの止め板３３が付設される。止め板３３は、常に主板１の溝１１の中に位置していて、副板３のはめ足３２が前後に移動する動作が安定する。なお、主板１の封鎖片１２の内側に１つの止め突起１４を設け、はめ足３２が外に引き出されるときに、はめ足３２の止め板３３を受け止めて、はめ足３２の全体が主板１の溝１１から脱落しないようにする。なお、本実施形態では、止め突起１４は、封鎖片１２の内側の溝１１の上方壁に設けられる。
【００１３】
なお、副板３の各はめ足２の内末端面に１つの孔３４をあけておき、また、止め板３３が孔３４と相対する位置に１つの突起３５を設ける。突起３５が孔３４にかたくはまることにより、止め板３３は、はめ足３２の内末端に連結される。
【００１４】
（第２実施形態）
次に、本考案の第２実施形態は、図４に示すように、概ね第１実施形態と同様の構造であるが、異なる点は、副板３の表面の外末端の両側にそれぞれ１つのピボット台３６を設置する。ピボット台３６には、１つのピボット孔３７をあけておく。
また、各ピボット台３６にピボット式に連結される翼板４を設置する。翼板４の表面および底面には、翼板表面粘着面４３および翼板底面粘着面４４が形成される。翼板４の形状は、ややＺ形となり、翼板４の内末端には、１つの翼板ピボット孔４１が設けられる。図５に示すように、１つのピボット４２が、翼板４の翼板ピボット孔４１と副板３のピボット台３６のピボット孔３７とに差し込まれて、翼板４が主板１の上に乗っている位置から外側の方に副板３と共に引き出されてから１８０度回転して展開し副板３と一直線の形になる。図５を見てわかるように、翼板４の翼板底面粘着面４４、副板３の副板底面粘着面４１、および、主板１の底面粘着面１６は、同じ一平面になり、雑巾１８をこの三粘着面に貼り付けられるから、床板をふく面積がとても増大される。
【００１５】
次に図６に示すように、副板３のはめ足３２を主板１の中に縮小されたときは、翼板４は副板３に対しピボット式に１８０度回転して、主板１の上に載せておくことができる。このとき、翼板４の翼板表面粘着面４３は、主板１の表面粘着面１５とひっつきあって、所定の位置で安定する。また、翼板４の翼板底面粘着面４４は、雑巾置き箱２の置き箱底面粘着面２１とひっつき合う。
【００１６】
（第３実施形態）
本考案の第３実施例は、モップの雑巾が床板を一度にふく面積を更に増大するために、図７が示す複数の特別板５を増設する。各特別板５は、表面および底面に、それぞれ特別板表面粘着面５１および特別板底面粘着面５２を形成し、特別板表面粘着面５１および特別板底面粘着面５２が、翼板４の翼板底面粘着面４３、副板３の副板底面粘着面３１、および主板１の底面粘着面１６に貼り付け合って、雑巾１８を貼り付ける面積をさらに増大することができる。
本実施形態のモップは、副板３、翼板４、および、特別板５の設置により、床板を拭く雑巾の面積を色々と増大できる様に設計されているので、掃除をする場所の広さにより適当に調整でき、掃除に要する時間と人力を節約できる効果がある。
【符号の説明】
【００１７】
１・・・・主板
１１・・・溝
１２・・・封鎖片
１３・・・欠け口
１４・・・止め突起
１５・・・主板表面粘着面
１６・・・主板底面粘着面
１７・・・握り棒
２・・・・雑巾置き箱
２１・・・置き箱底面粘着面
３・・・・副板
３１・・・副板底面粘着面
３２・・・はめ足
３３・・・止め板
３４・・・孔
３５・・・突起
４・・・・翼板
４１・・・翼板ピボット孔
４２・・・ピボット
４３・・・翼板表面粘着面
４４・・・翼板底面粘着面
５・・・・特別板
５１・・・特別板表面粘着面
５２・・・特別板底面粘着面
【図１】
0003173533.tif 000003
【図２】
0003173533.tif 000004
【図３】
0003173533.tif 000005
【図４】
0003173533.tif 000006
【図５】
0003173533.tif 000007
【図６】
0003173533.tif 000008
【図７】
0003173533.tif 000009
【手続補正書】
【提出日】平成23年11月29日(2011.11.29)
【手続補正１】
【補正対象書類名】実用新案登録請求の範囲
【補正対象項目名】請求項４
【補正方法】変更
【補正の内容】
【請求項４】
表面に主板表面粘着面が形成され、両側にそれぞれ孔を有する底面に主板底面粘着面が形成され、前記孔の外末端の開き口に設けられ下端部に欠け口が形成される封鎖片が付設される主板と、
前記主板の中央部にピボット式に連結される握り棒と、
前記主板の底面と同一平面となる底面に副板底面粘着面が形成され、前記主板の溝と相対する２つのはめ足を有し、少なくとも一枚の雑巾がはり付けられ、表面の外末端両側にそれぞれピボット孔が形成されるピボット台を有する２つの副板と、
表面に翼板表面粘着面が形成され、底面に翼板底面粘着面が形成され、内末端に前記副板の前記ピボット台の前記ピボット孔と相応する翼板ピボット孔を有し、形状がＺ型である２つの翼板と、
底面に置き箱底面粘着面が形成され、前記主板の表面の両側に貼り付けられ、更に２つの前記翼板の翼板底面粘着面に貼り付けられる２つの雑巾置き箱と、
を備え、
ピボットは、前記ピボット台の前記ピボット孔および前記翼板ピボット孔にはまり、
前記２つの翼板は、前記ピボットの作用により１８０度回転可能であり、外側に展開される、或いは、内側に折りたたまれて、前記２つの翼板、前記２つの副板、および、前記主板の底面が同一平面になり、雑巾が底面にはり付けられることを特徴とするモップの雑巾固定装置。